(57)【要約】【課題】複数の通話回線に接続され、１つの通話回線での二者間の通話中に、第三者からの着信を報知して、適切に応答する。【解決手段】電話通信装置１００は、ＡＤＳＬ化された加入者線２２に接続され、スプリッタ１７で分離されるＰＳＴＮ回線２３とＡＤＳＬ回線２４とで、複数の通話回線に接続される。１つの通話回線を使用しての通話中に、他の通話回線に着信があると、使用者に対して着信表示音が報知され、着信の発信者に対しては呼出し音が送出される。使用者が操作パネル１４のキャッチボタンを押すと、通話中の相手に対しては保留状態となり、発信者に対して応答することができる。キャッチボタンをもう一度押すと、保留と応答とを切換えることができる。通話回線の種類を問わず、同一の操作でキャッチホンと同等の機能を実現することができる。【選択図】      図１
2004187082.tif 000002
【特許請求の範囲】
【請求項１】
複数の通話回線に接続可能な電話通信装置であって、
使用者が１つの通話回線で通話中に、他の通話回線への着信を検出する着信検出手段と、
着信検出手段によって着信が検出されるとき、予め定める着信表示音を発生させて使用者に報知する着信報知手段と、
着信検出手段によって着信が検出されるとき、予め定めるリングバックトーンを該他の通話回線の発信者に送出して応答する着信応答手段と、
着信検出手段によって着信が検出されるとき、使用者によって予め定める切換操作が行われるか否かを検出する切換検出手段と、
切換検出手段によって使用者による切換操作が検出されるとき、該１つの通話回線を保留状態として、該他の通話回線と通話可能な状態に切換える回線切換手段とを含むことを特徴とする電話通信装置。
【請求項２】
前記複数の通話回線は、公衆電話網の局交換機に接続されるアナログ通話回線と、デジタル通信網を介する電話通信サービスを提供するサーバに接続されるデジタル通話回線とを含み、
前記１つの通話回線および前記他の通話回線は、それぞれ、該アナログ通話回線または該デジタル通話回線の一方および他方であることを特徴とする請求項１記載の電話通信装置。
【請求項３】
前記デジタル通話回線は、前記アナログ通話回線の通信線に、高周波信号を重畳させて形成され、
発呼時に、相手側の電話番号に基づいて、予め設定される条件に従い、デジタル通話回線とアナログ通話回線とのいずれかを選択する回線選択手段をさらに含むことを特徴とする請求項２記載の電話通信装置。
【請求項４】
前記複数の通話回線は、デジタル通信網を介する電話通信サービスを提供するサーバに接続されるデジタル通話回線であることを特徴とする請求項１記載の電話通信装置。
【請求項５】
前記複数の通話回線に接続可能な親機と、
親機に接続され、親機を介して通話回線に接続される子機とを有し、
前記着信報知手段は、前記着信検出手段によって検出される着信が親機の通話中であるか子機の通話中であるかを判断し、親機または子機のうちの通話中であると判断する方に、前記着信表示音を報知し、
前記切換検出手段は、該通話中であると判断する親機または子機に対し、使用者によって予め定める切換操作が行われるか否かを検出することを特徴とする請求項１記載の電話通信装置。
【請求項６】
前記親機または子機のうちの通話中であると判断する方とは異なる方で、着呼のための呼び出し音を報知し、該異なる方の親機または子機に対して該呼び出し音に対する応答操作が行われると、該異なる方の親機または子機を前記他の通話回線に接続するように制御する着信制御手段をさらに含むことを特徴とする請求項５記載の電話通信装置。
【請求項７】
前記切換検出手段は、前記着信検出手段によって着信が検出されるとき、前記使用者によって前記予め定める切換操作とは異なるように予め定められる移行操作が行われるか否かも検出し、
切換検出手段によって使用者による移行操作が検出されるとき、前記１つの通話回線と前記他の通話回線との間を音声信号に関して相互に接続し、三者通話に移行させる三者通話手段をさらに含むことを特徴とする請求項１〜６のいずれかに記載の電話通信装置。
【請求項８】
前記切換検出手段は、前記移行操作として、前記切換操作と同一の操作対象に対して、該切換操作とは異なる態様となるように予め定められる操作を検出することを特徴とする請求項７記載の電話通信装置。
【発明の詳細な説明】
【０００１】
【発明の属する技術分野】
本発明は、複数の通話回線に接続される電話通信装置、特にキャッチホン機能を備える電話通信装置に関する。
【０００２】
【従来の技術】
従来から、公衆電話網（以下、Ｐｕｂｌｉｃ  Ｓｗｉｔｃｈｅｄ  Ｔｅｌｅｐｈｏｎｅ  Ｎｅｔｗｏｒｋ  から「ＰＳＴＮ」と略称することもある。）を介する通話を行う電話通信装置では、通話中に第三者からの着信がある場合に、電話局の交換機が着信表示音を報知して、通話を保留状態にして着信に対する応答を可能にするキャッチホンサービスを利用することができる。ただし、キャッチホンは、電話通信装置自体の機能のみでは利用することができず、通信事業者によって提供されるキャッチホンサービスに加入することで初めてキャッチホンを利用することができた。キャッチボタンを押すことで通話回線にフッキング信号が送出され、着信してきた呼を取って、通話中の呼は局側で保留しなければならなかった。
【０００３】
近年、インターネットなどのデジタル通信網が発達し、ＶｏＩＰ（Ｖｏｉｃｅ  ｏｖｅｒＩｎｔｅｒｎｅｔ  Ｐｒｏｔｏｃｏｌ）を用いて、電話通話を行うことも可能になっている。インターネットを介する電話通話では、インターネットに接続するためのサーバで、通信相手をＩＰアドレスによって特定するようにしている。インターネット内でのデータ通信は、電話通話に要する通信速度に比較して充分に高速で行うことができる。サーバと電話通話のための端末との通信速度も、ブロードバンド化された通信線を使用すれば、充分に高速で行うことができる。この通信は、多重化することも比較的容易であり、物理的には単一の通信線に、複数の通話回線を収容することもできる。さらに、ＡＤＳＬ（Ａｓｙｍｍｅｔｒｉｃ  Ｄｉｇｉｔａｌ  Ｓｕｂｓｃｒｉｂｅｒ  Ｌｉｎｅ  ）などのｘＤＳＬ技術で、ＰＳＴＮの加入者線に高周波のデジタル信号を重畳し、アナログ通信回線と、複数のデジタル通信回線とを収容することも可能になっている。
【０００４】
インターネットを介する電話通話を、インターネットに接続するためにＩＳＰ（Ｉｎｔｅｒｎｅｔ  Ｓｅｒｖｉｃｅ  Ｐｒｏｖｉｄｅｒ  ）まではＰＳＴＮの加入者線を利用し、モデムで音声データを圧縮して、１つの電話回線で複数の通話を行い、３者通話や割り込み通話、通話の転送等を自在に行えるとする通話システムの端末装置も提案されている（たとえば、特許文献１参照）。インターネットを介する通話中に、第三者からの着信を知らせるキャッチホンと同様なコールウェイティングサービスを、ＩＳＰなどのサーバ側で行う技術も提案されている（たとえば、特許文献２および特許文献３参照）。
【０００５】
また、ＩＳＤＮ（Ｉｎｔｅｇｒａｔｅｄ  Ｓｅｒｖｉｃｅｓ  Ｄｉｇｉｔａｌ  Ｎｅｔｗｏｒｋ  ）などのデジタル公衆通信回線や、複数のＰＳＴＮのアナログ通信回線に接続可能な電話装置に複数の子機を設け、キャッチホンの可否を子機毎に設定することも提案されている（たとえば、特許文献４参照）。複数人通話を行うシステムで、音声の送信元を表示する通信端末も提案されている（たとえば、特許文献５参照）。
【０００６】
【特許文献１】
特開平９−１６８０６４公報
【特許文献２】
特開２００１−１６８９８９号公報
【特許文献３】
特開平２００１−３４５９３１号公報
【特許文献４】
特開２００２−９８８６号公報
【特許文献５】
特開２００２−２７１４３号公報
【０００７】
【発明が解決しようとする課題】
ＡＤＳＬは、既存のＰＳＴＮをブロードバンド化して、インターネットに対して常時接続状態を容易に実現することが可能であり、急速に普及しつつある。ＰＳＴＮの加入者線をＡＤＳＬでブロードバンド化したＡＤＳＬ回線に接続して、ＡＤＳＬ回線を利用したＶｏＩＰとＰＳＴＮの両方で通話可能な電話機では、ＰＳＴＮでの通話中のＶｏＩＰ着信に対して、キャッチボタンでフッキング信号を送出しても着信を取れない。ＰＳＴＮの局側で対応できないので、キャッチホンやコールウェイティングの機能を実現するためには、新たな方法が必要である。特許文献４や特許文献５の開示内容は、キャッチホンやコールウェイティングを実現することには関係がない。
【０００８】
特許文献１には、３者通話や割り込み通話、通話の転送を自在に行えるシステムをどのように実現するかについての開示はなく、このシステムがインターネットを利用して構築されていることを前提として、このシステムを利用可能な端末装置についての発明が開示されている。このため、端末装置自体には、３者通話や割り込み通話、通話の転送を自在に行うことを可能にする構成は含まれていない。
【０００９】
特許文献２や特許文献３のようにして、インターネットを利用するデジタル電話回線でキャッチホンやコールウェイティングを行うとすれば、サーバがキャッチホンやコールウェイティングを可能にする機能を備えておく必要がある。しかし、電話会社や、インターネット利用の電話サービスを提供するＩＳＰなどの通信事業者にとっても、キャッチホンやコールウェイティング対応の交換機やサーバを導入するにおいては、多額の費用がかかり、キャッチホンやコールウェイティングのサービス契約者が少ない場合、これらの設備投資の減価償却がなかなか進まなくなる可能性があるなど、リスクの大きい事柄である。
【００１０】
本発明の目的は、複数の通話回線に接続され、１つの通話回線での二者間の通話中に、第三者からの着信を報知して、適切に応答することが可能な電話通信装置を提供することである。
【００１１】
【課題を解決するための手段】
本発明は、複数の通話回線に接続可能な電話通信装置であって、
使用者が１つの通話回線で通話中に、他の通話回線への着信を検出する着信検出手段と、
着信検出手段によって着信が検出されるとき、予め定める着信表示音を発生させて使用者に報知する着信報知手段と、
着信検出手段によって着信が検出されるとき、予め定めるリングバックトーンを該他の通話回線の発信者に送出して応答する着信応答手段と、
着信検出手段によって着信が検出されるとき、使用者によって予め定める切換操作が行われるか否かを検出する切換検出手段と、
切換検出手段によって使用者による切換操作が検出されるとき、該１つの通話回線を保留状態として、該他の通話回線と通話可能な状態に切換える回線切換手段とを含むことを特徴とする電話通信装置である。
【００１２】
本発明に従えば、電話通信装置は、複数の通話回線に接続可能であり、着信検出手段と、着信報知手段と、着信応答手段と、切換検出手段と、回線切換手段とを含む。着信検出手段は、使用者が１つの通話回線で通話中に、他の通話回線への着信を検出する。着信報知手段は、着信検出手段によって着信が検出されるとき、予め定める着信表示音を発生させて使用者に報知するので、通話中の使用者は第三者からの着信を知ることができ、従来からのキャッチホンと同様な機能を実現することができる。着信応答手段は、着信検出手段によって着信が検出されるとき、予め定めるリングバックトーンを該他の通話回線の発信者に送出して応答するので、他の通話回線の発信者は、使用者を呼出し中であることが判る。切換検出手段は、着信検出手段によって着信が検出されるとき、使用者によって予め定める切換操作が行われるか否かを検出するので、使用者が切換操作を行えば検出することができる。回線切換手段は、切換検出手段によって使用者による切換操作が検出されるとき、該１つの通話回線を保留状態として、該他の通話回線と通話可能な状態に切換えるので、使用者は１つの通話回線での二者間の通話中に、第三者からの着信の報知を受けて、適切に応答することができる。
【００１３】
また本発明で、前記複数の通話回線は、公衆電話網の局交換機に接続されるアナログ通話回線と、デジタル通信網を介する電話通信サービスを提供するサーバに接続されるデジタル通話回線とを含み、
前記１つの通話回線および前記他の通話回線は、それぞれ、該アナログ通話回線または該デジタル通話回線の一方および他方であることを特徴とする。
【００１４】
本発明に従えば、公衆電話回線網の局交換機とデジタル通信網を介する電話通信サービスを提供するサーバとは、それぞれ電話通信サービスを独立して提供するので、提供する電話通信サービスの範囲内では二者間の通話中に、第三者からの着信を報知するような機能を備えていても、その範囲外に第三者からの着信を報知するような機能を拡張することは困難である。複数の通話回線に接続される電話通信装置側で第三者からの着信を報知するような機能を備えるので、使用者はデジタル通話回線またはアナログ通話回線のうちの一方の通話回線での二者間の通話中に、他の通話回線での第三者からの着信の報知を受けて、適切に応答することができる。
【００１５】
また本発明で、前記デジタル通話回線は、前記アナログ通話回線の通信線に、高周波信号を重畳させて形成され、
発呼時に、相手側の電話番号に基づいて、予め設定される条件に従い、デジタル通話回線とアナログ通話回線とのいずれかを選択する回線選択手段をさらに含むことを特徴とする。
【００１６】
本発明に従えば、デジタル通話回線は、ｘＤＳＬなどのように、アナログ通話回線の通信線に、高周波信号を重畳させて形成されるので、物理的に接続する通信線はアナログ通話回線の通信線のみで、同時にデジタル通話回線にも接続することができる。発呼時にデジタル通話回線を選択するかアナログ通話回線を選択するかは、相手側の電話番号に基づいて、予め設定される条件に従い、回線選択手段が決定するので、使用者は通話に使用中の通話回線の種類の違いに注意する必要はなく、従来のアナログ通話回線で局交換機が提供するキャッチホンのサービスと同様な感覚で、いずれの通話回線を使用しているときであっても、同様の操作で第三者からの着信に応答することができる。
【００１７】
また本発明で、前記複数の通話回線は、デジタル通信網を介する電話通信サービスを提供するサーバに接続されるデジタル通話回線であることを特徴とする。
【００１８】
本発明に従えば、デジタル通話回線による電話通信サービスを提供するサーバに、第三者からの着信を報知して応答させる機能が設けられていなくても、電話装置として適切に応答することができる。
【００１９】
さらに、前述の本発明を総合的に適用すると、通話中の着信は、たとえば「プププ」等の着信表示音で使用者に報知し、発信者に対してはリングバックトーンを送出することができる。ここで、通常の着信と通話中のキャッチホン機能での着信とでリングバックトーンの音を別のものにすることにより、発信者にもわかるようにすることができる。使用者は、デジタル通話回線を介するＶｏＩＰなどによる通話とＰＳＴＮのアナログ通話回線を介する通話との切換え、またはＶｏＩＰ通話同士など、使用している通話回線の種類を気にすることなく、たとえばキャッチボタンなどの操作対象の操作により、電話通信装置側で通話回線を切換えることができる。これによって、使用者は、ＶｏＩＰ着信でも意識することなくキャッチホン機能を利用することができ、また、通信事業者が提供するサービスに加入することなくキャッチホン機能を利用することができ、電話通信装置としての使い勝手の向上につながる。
【００２０】
また本発明は、前記複数の通話回線に接続可能な親機と、
親機に接続され、親機を介して通話回線に接続される子機とを有し、
前記着信報知手段は、前記着信検出手段によって検出される着信が親機の通話中であるか子機の通話中であるかを判断し、親機または子機のうちの通話中であると判断する方に、前記着信表示音を報知し、
前記切換検出手段は、該通話中であると判断する親機または子機に対し、使用者によって予め定める切換操作が行われるか否かを検出することを特徴とする。
【００２１】
本発明に従えば、親機と子機とのうちのいずれかで通話中に、通話中の通話回線とは異なる通話回線に第三者からの着信があると、親機または子機のうちの通話中の方に着信報知手段による着信表示音を報知するので、通話を行っている使用者に適切に着信を報知することができる。切換検出手段は、親機または子機のうちの通話中の方で使用者によって予め定める切換操作が行われるか否かを検出するので、着信表示音の報知に続く適切な応答を行わせることができる。
【００２２】
また本発明は、前記親機または子機のうちの通話中であると判断する方とは異なる方で、着呼のための呼び出し音を報知し、該異なる方の親機または子機に対して該呼び出し音に対する応答操作が行われると、該異なる方の親機または子機を前記他の通話回線に接続するように制御する着信制御手段をさらに含むことを特徴とする。
【００２３】
本発明に従えば、通話中であると判断されて着信表示音の報知や切換操作の検出を行う親機または子機とは異なる方に対して、着呼のための呼び出し音を報知し、応答操作が行われると、通話中の割り込みではなく、独立した通話を行うことができる。
【００２４】
すなわち、親機および子機を有する場合に本発明を適用すると、親機あるいは子機で通話中に着信があった場合、通話中の機器に報知するだけでなく、空いている機器にも呼び出し音を送出する。これにより、使用者は両方の機器で通話中の着信を受けることができ、使い勝手の向上につながる。
【００２５】
また本発明で、前記切換検出手段は、前記着信検出手段によって着信が検出されるとき、前記使用者によって前記予め定める切換操作とは異なるように予め定められる移行操作が行われるか否かも検出し、
切換検出手段によって使用者による移行操作が検出されるとき、前記１つの通話回線と前記他の通話回線との間を音声信号に関して相互に接続し、三者通話に移行させる三者通話手段をさらに含むことを特徴とする。
【００２６】
本発明に従えば、使用者によって他の通話回線への着信に切換える切換操作とは異なるように予め定められる移行操作が行われることを切換検出手段が検出すると、三者通話手段によって、通話中の相手と着信があった相手との三者通話に移行させることができる。
【００２７】
また本発明で、前記切換検出手段は、前記移行操作として、前記切換操作と同一の操作対象に対して、該切換操作とは異なる態様となるように予め定められる操作を検出することを特徴とする。
【００２８】
本発明に従えば、通話中の着信に応答するための切換操作と、三者通話に移行するための移行操作とを、同一の操作対象に対する異なる態様の操作で行うことができるので、使用者は複数の通話回線に関して通話中に着信があるときの操作を同一の操作対象で行うことができ、通話回線の種類に応じて操作対象を選択する必要もなく、判り易く電話通信装置を使用することができる。
【００２９】
たとえば、Ａと通話中に、Ｂから着信があった場合、キャッチボタンなどの操作対象を短押しすると通話回線を切換え、長押しすると三者通話に移行するようにすることができる。三者通話中にキャッチボタンを短押しすると、Ｂを保留し、Ａと通話することもできる。これによって、使用者は直感的な操作で、通話回線の切換えや三者通話を行うことができ、電話通信装置としての使い勝手の向上につながる。
【００３０】
【発明の実施の形態】
図１は、本発明の実施の一形態である電話通信装置１００の概略的な電気的構成を示す。電話通信装置１００は、回線捕捉回路１、スピーチネットワーク２、切換回路３、ハンドセット４、スピーカ５、ダイヤル回路６、着信検出回路７、発信者電話番号受信回路８、メモリ９、表示部１０、ＶｏＩＰ使用可能ＬＥＤ１１、ＰＳＴＮ  ＬＥＤ１２、ＶｏＩＰ  ＬＥＤ１３、操作パネル１４、ＤＳＰ（Ｄｉｇｉｔａｌ  Ｓｉｇｎａｌ  Ｐｒｏｃｅｓｓｏｒ）１５、ＡＤＳＬモデム１６、スプリッタ１７、音声メモリ１８、留守録ＤＳＰ１９、アンテナ２０、無線機２１、および制御部３０を含む。制御部３０は、電話制御部３１、データ処理制御部３２、表示制御部３３、操作検出部３４、使用回線判定部３５、ＶｏＩＰ制御部３６、ＤＳＰ制御部３７、ＡＤＳＬ制御部３８および無線制御部３９を含む。
【００３１】
電話通信装置１００には、ＰＳＴＮの交換局からの加入者線２２が接続される。加入者線２２は、ＡＤＳＬとしてデジタル通話回線用の高周波信号が重畳され、スプリッタ１７でＰＳＴＮ回線２３とＡＤＳＬ回線２４とに分離される。ＰＳＴＮの交換局側にもスプリッタが設けられ、ＰＳＴＮのアナログ通話信号と、ＡＤＳＬのデジタル通話信号とを分離する。スプリッタ１７や交換局側に設けられるスプリッタは、アナログ通話信号にデジタル通話信号の高周波が重畳されている信号をＰＳＴＮ回線２３とＡＤＳＬ回線２４とに分離するとともに、アナログ通話信号にデジタル通話信号の高周波を重畳させて合成することも行う。ＡＤＳＬ回線２４はブロードバンド化されており、多重化によって複数のデジタル通話回線を同時に使用することができる。
【００３２】
回線捕捉回路１は、ダイヤル回路６からの信号によってＰＳＴＮ回線２３を閉結したり開放したりし、またその状態を信号で電話制御部３１に与えることができる。スピーチネットワーク２は、ＰＳＴＮ回線２３からの受話信号を切換回路３に送るとともに、切換回路３からの送話信号をＰＳＴＮ回線２３を介して公衆電話回線網に送出したり、ダイヤル回路６が発信したＤＴＭＦ（Ｄｕａｌ  ＴｏｎｅＭｕｔｉ  Ｆｒｅｑｕｅｎｃｙ）信号を、ＰＳＴＮ回線２３に送出するために回線捕捉回路１に送る。
【００３３】
切換回路３は、電話制御部３１からの制御信号に応じて、スピーチネットワーク２およびハンドセット４から音声信号を入力し、またスピーチネットワーク２、ハンドセット４およびスピーカ５へ音声信号を出力するように信号経路の接続を切換える。さらに切換回路３は、電話制御部３１からの制御信号に応じて、スピーチネットワーク２、ハンドセット４、およびＤＳＰ１５からの入力信号と、電話制御部３１から入力される保留音信号とを、スピーチネットワーク２、ハンドセット４、スピーカ５、ＤＳＰ１５へ出力するように信号経路の接続を切換える。特に三者通話の場合は、たとえば、スピーチネットワーク２からの入力をハンドセット４およびＤＳＰ１５に出力し、ハンドセット４およびＤＳＰ１５からの入力をスピーチネットワーク２に出力するように、信号系の接続を切換える。通話中の着信は、「プププ」等の着信表示音で使用者に報知し、発信者に対してはリングバックトーンを送出する。通常の着信とキャッチホン機能での着信とで、リングバックトーンの音を別のものにすることにより、発信者にも判るようにする。
【００３４】
ダイヤル回路６は、回線捕捉回路１を開閉させてダイヤルパルスを発生させたり、ＤＴＭＦ信号をスピーチネットワーク２に出力したりして、ＰＳＴＮ回線２３に送出する。着信検出回路７は、ＰＳＴＮ回線２２から到来するＣＡＲ信号やＩＲ信号を検出し、電話制御部３１に信号を与える。ここでＣＡＲ信号とは、発信者電話番号通知サービスで発信者の電話番号を通知してくる前に送られてくる信号であり、電話機はこれを受信すると回線を捕捉し、発信者の電話番号を受信する。また、ＩＲ信号とは着信鳴動信号であり、通常、電話機はこれを受信するとスピーカから呼出音を鳴らす。
【００３５】
発信者電話番号受信回路８は、ＰＳＴＮ回線２３から送られてくる発信電話番号等の情報を受信復調し、発信者識別情報となる発信者電話番号を取得する。メモリ９は、ＰＳＴＮ回線２３やＡＤＳＬ回線２４を使用しての発信記録や着信記録のデータ、留守応答時に受信した発信者電話番号とその使用された回線が何かを示す情報などを記憶する。
【００３６】
電話通信装置１００は、表示手段として、ＬＣＤ（液晶表示装置）による表示部１０と、ＬＥＤ（発光ダイオード）によるＶｏＩＰ使用可能ＬＥＤ１１、ＰＳＴＮ  ＬＥＤ１２およびＶｏＩＰ  ＬＥＤ１３を含む。表示部１０は文字列やピクトグラムで情報を表示する。ＶｏＩＰ使用可能ＬＥＤ１１は、ＶｏＩＰ電話通信が可能な時に点灯する。ＰＳＴＮ  ＬＥＤ１２は、ＰＳＴＮ回線２３を使用して電話の発着信が行われた時に点灯する。ＶｏＩＰ  ＬＥＤ１３は、ＡＤＳＬ回線２４を使用してＶｏＩＰ電話の発着信が行われた時に点灯する。これらの表示手段は、電話通信装置１００を操作するための操作パネル１４に設けられている。
【００３７】
ＤＳＰ５は、ＡＤＳＬ回線２４から送られてきたデジタル音声をアナログ音声に変換したり、ハンドセット４の受話器で拾ったアナログ音声をデジタル音声に変換したりする信号処理を行う。ＡＤＳＬモデム１６は、ＡＤＳＬ回線２４を使って送受信を行うためにデジタル信号を変復調する。スプリッタ１７は、ＰＳＴＮ回線２３の信号とＡＤＳＬ回線２４の信号を一つにまとめて加入者線２２に流したり、電話局から加入者線２２を介して送られてくる信号をＰＳＴＮ回線２３の信号とＡＤＳＬ回線２４の信号とに分離したりすることができる。
【００３８】
さらに、ＩＰ電話機３０には、留守録機能を実現するために、留守用件を記録する音声メモリ１８と、留守用件をデジタルで記録したり再生したりする留守用件用ＤＳＰ１９とが設けられている。
【００３９】
無線機２１は、アンテナ２０を介して１または複数の子機と無線電波で接続する。赤外線や有線で接続するようにしてもよい。子機も、親機となる電話通信装置１００を介し、ＰＳＴＮ回線２３とＡＤＳＬ回線２４とを利用して通信を行うことができる。また親機と子機とは、ＰＳＴＮ回線２３とＡＤＳＬ回線２４とのうちの一方と他方とを使用して、同時に並行して通信することもできる。さらに、ＡＤＳＬ回線２４では、複数の電話通信用の回線を設定することも可能であり、親機と子機、または複数の子機が同時に並行して電話通信を行うことができる。
【００４０】
電話通信装置１００の動作は、予め設定されるプログラムに従う制御部３０によって制御する。電話制御部３１は、電話をかけたり、受けたり、ダイヤルしたり、留守応答動作をしたりする動作を制御する。データ処理制御部３２は、メモリ９に発信者電話番号等のデータを書き込んだり、閲覧手段として読み込んだりする制御を行う。表示制御部３３は、表示部１０に各種の情報を表示する制御を行う。操作検出部３４は、操作パネル１４を監視し、操作が行われると電話制御部３１に操作に対応する信号を与える。使用回線判定部３５は、回線選択手段として、電話制御部３１から送られてきた電話番号に基づいて、ＰＳＴＮ回線２３とＡＤＳＬ回線１４とでいずれの回線を使用するかを判定し、結果を電話制御部３１に返す判定手段として機能する。ＶｏＩＰ制御部３６は、ＶｏＩＰ電話を行うための呼制御や、ＰＰＰ（Ｐｏｉｎｔ−ｔｏ−Ｐｏｉｎｔ  Ｐｒｏｔｏｃｏｌ  ）セッションの確立、ＶｏＩＰサーバとの認証を行う。ＤＳＰ制御部３７は、ＤＳＰ１５を制御する。ＡＤＳＬ制御部３８は、ＡＤＳＬモデム１６を制御する。
【００４１】
無線制御部３９は、電話制御部３１からの信号に応じて、無線機２１の動作を制御して無線コマンドのやり取りを行う。アンテナ２０は、子機からの電波を受信したり、子機に対して電波を送信する。無線機２１は子機が送信した電波を受信し、無線コマンドを無線制御部３９へ送り、無線制御部３９から送られてきた無線コマンドを子機に送る。
【００４２】
図２は、図１の電話通信装置１００の外観の一例を示す。本実施形態の電話通信装置１００の外観構成には、基本的に、従来からのボタン電話と同様に、ダイヤルボタン４０などが設けられているけれども、操作パネル１４には、表示部１０とＶｏＩＰ使用可能ＬＥＤ１１、ＰＳＴＮ  ＬＥＤ１２およびＶｏＩＰ  ＬＥＤ１３とが設けられている。ＶｏＩＰ使用可能ＬＥＤ１１は、ＡＤＳＬ回線２４で発呼することができる条件として、３つ成立しているときに点灯する。
【００４３】
▲１▼ＡＤＳＬ回線のＡＤＳＬコネクションが接続されている。
▲２▼ＰＰＰセッションが確立している。
▲３▼ＶｏＩＰサーバの認証が取れている。
【００４４】
本実施形態で通話中の第三者着信によるキャッチホン機能で着信に応答するための操作のために、キャッチボタン４１が設けられている。キャッチ終了ボタン４２は、キャッチ機能の終了操作のために設けられている。パーティコールボタン４３は、３者通話のために設けられている。ただし、本実施形態では、キャッチボタン４１の操作でも、３者通話に移行することができる。操作パネル１４には、電話通信装置１００が備える機能に対して種々の操作指示が可能なマルチファンクションキー４５なども設けられている。
【００４５】
図３は、図１の電話通信装置１００で、ＰＳＴＮ通話中におけるキャッチボタン４１の押下げ操作に関しての電話制御部３１による制御手順を示す。ステップａ０では、ＰＳＴＮ回線２３を使用する通話中であるとする。ステップａ１で、電話制御部３１は、着信検出回路７やＶｏＩＰ制御部３６からの信号を監視し、着信を監視し、通話中の相手とは異なる第三者からの着信があるか否かを判断する。着信があると判断するときは、ステップａ２に進み、ＡＤＳＬ回線２４を介してのＶｏＩＰ着信であるか否かを判断する。ＶｏＩＰ着信であると判断するときには、ステップａ３に進み、電話制御部３１は着信報知手段として、「プププ」等の着信表示音を使用者に報知し、着信応答手段として、発信者に対しては「トルルル、トルルル」等のリングバックトーンを呼出音として送出する。着信表示音は、たとえばＮＴＴのキャッチホンサービスで使用されている４００Ｈｚを０．０５秒間続け、０．４５秒間停止することを繰返すようにすることができる。これによって、使用者は、通話中に別の人から着信したことを知ることができる。リングバックトーンは、４００Ｈｚを１６Ｈｚで変調した信号を１秒間鳴らして、２秒間休むことを繰返し、相手を呼出中であることを示す。
【００４６】
ステップａ４で、電話制御部３１は、切換検出手段として、操作検出部３４からの信号を監視し、キャッチボタン４１の押下を監視して、使用者がキャッチボタン４１を押しているか否かを判断する。キャッチボタン４１は、押しボタンスイッチであり、押すことによってＯＦＦからＯＮに変化する。押していないと判断するときには、ステップａ１に戻る。ステップａ４で、使用者がキャッチボタン４１を押したと判断するときには、ステップａ５で、電話制御部３１は、操作検出部３４からの信号を監視し、キャッチボタン押下時間を監視し、短押しであるか否かを判断する。短押しか否かは、使用者がキャッチボタン４１を、たとえば２秒よりも短い時間しか押していないか否かで判断する。この時間は、押しているか否かで判断する。この時間は、従来からのフッキング操作とみなす時間である０．３〜１．１秒に合わせることもできる。電話制御部３１が短押しと判断するときは、ステップａ６に進み、回線切換手段として、ＰＳＴＮ回線２３を介する通話を保留状態とし、ＡＤＳＬ回線２４を介するＶｏＩＰ通話に応答するように切換える。保留状態となる通話回線は通話を遮断し、その代りに、「ツープー  ツープー」等の保留中表示音を送出する。保留中表示音は、たとえば４００Ｈｚを１６Ｈｚで変調した信号を０．５秒間続け、０．５秒間休止し、４００Ｈｚの信号を０．５秒間続け、２．５秒間休止することを繰返す。この繰返しの間、ステップａ７でキャッチボタン４１が押されているか否かを判断し、押されていなければステップａ６に戻って保留状態を繰返す。
【００４７】
ステップａ７でキャッチボタン４１が押されたと判断するときは、ステップａ８に進み、電話制御部３１は短押しか否かを判断する。短押しと判断するときは、ステップａ９に進み、電話制御部３１はＶｏＩＰ通話を保留状態とし、ＰＳＴＮ回線２３を介する通話に応答するように切換える。次にステップａ１０に進み、使用者がキャッチボタン４１を押したか否かを判断する。押したと判断するときは、ステップａ５に戻り、押していないと判断するときは、ステップａ９の保留状態を続ける。
【００４８】
ステップａ５またはステップａ８で、短押しと判断する時間よりも長いと判断するときは、長押しとして、ステップａ１１に進む。ステップａ１１では、先にＰＳＴＮで通話中の相手と、途中からＶｏＩＰで着信した第三者とに対する３者通話を行う。ステップａ１２では、使用者がキャッチボタン４１を押したか否かを判断する。押していないと判断するときは、ステップａ１１に戻り、３者通話を続ける。ステップａ１２でキャッチボタン４１を押したと判断するときは、ステップａ１３で、短押しであるか否かを判断する。短押しでなく長押しであると判断するときは、ステップａ１１に戻る。ステップａ１３で短押しであると判断するときは、ステップａ９に戻る。
【００４９】
ステップａ２で、ＶｏＩＰ着信ではなく、ＰＳＴＮ着信であると判断するときは、ステップａ１４に進む。このときは、ＰＳＴＮ通話中のＰＳＴＮ着信であるので、着信表示音はＰＳＴＮの局交換機から送られて来る。また、使用者は、キャッチホンサービスの契約をしておく必要がある。キャッチホンサービスの契約をしていないと、ＰＳＴＮ通話中の第三者に対しては話中音としてのビジートーンが局交換機から送出されるだけである。ステップａ１４では、使用者がキャッチボタン４１を押したか否かを判断する。キャッチボタン４１を押していないと判断するときは、ステップａ１に戻り、キャッチボタン４１を押していると判断するときは、ステップａ１５に進む。ステップａ１５では、電話制御部３１が従来のキャッチホンとしての動作を行うように制御する。
【００５０】
ステップａ１で着信がないと判断するときは、ステップａ１６で、使用者がキャッチボタン４１を押しているか否かを判断する。キャッチボタン４１を押していないと判断するときは、ステップａ１に戻る。ステップａ１６でキャッチボタン４１を押していると判断するときは、ステップａ１７に進み、電話制御部３１は、操作検出部３４からの信号を確認し、ＰＳＴＮ回線２３へフッキング信号を送出する。このような動作は、内線等への転送に用いることができる。
【００５１】
図４は、図１の電話通信装置１００で、ＶｏＩＰ通話中におけるキャッチボタン４１の押下げ操作に関しての電話制御部３１による制御手順を示す。ステップｂ０では、１つのＡＤＳＬ通話回線を使用してＶｏＩＰ▲１▼で通話中であるとする。ステップｂ１で、電話制御部３１は、着信検出回路７やＶｏＩＰ制御部３６からの信号を監視し、着信を監視し、通話中の相手とは異なる第三者からの着信があるのを待つ。着信があると判断するときは、ステップｂ２に進み、使用者に対して着信表示音を報知する。ステップｂ３では、他のＡＤＳＬ通話回線を介するＶｏＩＰ▲２▼の着信であるか否かを判断する。ＶｏＩＰ▲２▼の着信ではなく、ＰＳＴＮ回線２３を介する着信であると判断するときには、ステップｂ４に進み、電話制御部３１は、操作検出部３４からの信号を監視し、キャッチボタン４１の押下を監視して、使用者がキャッチボタン４１を押しているか否かを判断する。押していないと判断するときには、ステップｂ１に戻る。ステップｂ４で、使用者がキャッチボタン４１を押したと判断するときには、ステップｂ５で、電話制御部３１は、操作検出部３４からの信号を監視し、キャッチボタン押下時間を監視し、短押しであるか否かを判断する。電話制御部３１が短押しと判断するときは、ステップｂ６に進み、ＶｏＩＰ▲１▼の通話を保留状態とし、ＰＳＴＮ回線２３を介する通話に応答するように切換える。ステップｂ７で電話制御部３１は、使用者がキャッチボタン４１を押したか否かを判断する。押さないと判断するときは、ステップｂ５に戻る。ステップｂ７でキャッチボタン４１が押されたと判断するときは、ステップｂ８に進み、電話制御部３１は短押しか否かを判断する。短押しと判断するときは、ステップｂ９に進み、電話制御部３１はＰＳＴＮ通話を保留状態とし、ＶｏＩＰ▲１▼の通話に応答するように切換える。次にステップｂ１０に進み、使用者がキャッチボタン４１を押したか否かを判断する。押したと判断するときは、ステップｂ５に戻り、押していないと判断するときは、ステップｂ９の保留状態を続ける。
【００５２】
ステップｂ５またはステップｂ８で、短押しと判断する時間よりも長いと判断するときは、長押しとして、ステップｂ１１に進む。ステップｂ１１では、先にＶｏＩＰ▲１▼での通話中の相手と、途中からＰＳＴＮで着信した第三者とに対する３者通話を行う。ステップｂ１２では、使用者がキャッチボタン４１を押したか否かを判断する。押していないと判断するときは、ステップｂ１１に戻り、３者通話を続ける。ステップｂ１２でキャッチボタン４１を押したと判断するときは、ステップｂ１３で、短押しであるか否かを判断する。短押しでなく長押しであると判断するときは、ステップｂ１１に戻る。ステップｂ１３で短押しであると判断するときは、ステップｂ９に戻る。
【００５３】
ステップｂ３で、ＶｏＩＰ▲２▼着信であると判断するときは、ステップｂ１４に進む。ステップｂ１４で、電話制御部３１は、操作検出部３４からの信号を監視し、キャッチボタン４１の押下を監視して、使用者がキャッチボタン４１を押しているか否かを判断する。押していないと判断するときには、ステップｂ１に戻る。ステップｂ１４で、使用者がキャッチボタン４１を押したと判断するときには、ステップｂ１５で、電話制御部３１は、操作検出部３４からの信号を監視し、キャッチボタン押下時間を監視し、短押しであるか否かを判断する。電話制御部３１が短押しと判断するときは、ステップｂ１６に進み、ＶｏＩＰ▲１▼の通話を保留状態とし、ＶｏＩＰ▲２▼の通話に応答するように切換える。ステップ１ｂ７で電話制御部３１は、使用者がキャッチボタン４１を押したか否かを判断する。押さないと判断するときは、ステップｂ１５に戻る。ステップｂ１７でキャッチボタン４１が押されたと判断するときは、ステップｂ１８に進み、電話制御部３１は短押しか否かを判断する。短押しと判断するときは、ステップｂ１９に進み、電話制御部３１はＶｏＩＰ▲２▼の通話を保留状態とし、ＶｏＩＰ▲１▼の通話に応答するように切換える。次にステップｂ２０に進み、使用者がキャッチボタン４１を押したか否かを判断する。押したと判断するときは、ステップｂ１５に戻り、押していないと判断するときは、ステップｂ１９の保留状態を続ける。
【００５４】
ステップｂ１５またはステップｂ１８で、短押しと判断する時間よりも長いと判断するときは、長押しとして、ステップｂ２１に進む。ステップｂ２１では、先にＶｏＩＰ▲１▼での通話中の相手と、途中からＶｏＩＰ▲２▼で着信した第三者とに対する３者通話を行う。ステップｂ２２では、使用者がキャッチボタン４１を押したか否かを判断する。押していないと判断するときは、ステップｂ２１に戻り、３者通話を続ける。ステップｂ２２でキャッチボタン４１を押したと判断するときは、ステップｂ２３で、短押しであるか否かを判断する。短押しでなく長押しであると判断するときは、ステップｂ２１に戻る。ステップｂ２３で短押しであると判断するときは、ステップｂ１９に戻る。
【００５５】
すなわち、本実施形態では、通話中の着信に応答するための切換操作と、三者通話に移行するための移行操作とを、同一の操作対象であるキャッチボタン４１に対する短押しと長押しのような異なる態様の操作で行うことができるので、使用者は複数の通話回線に関して通話中に着信があるときの操作を同一の操作対象で行うことができ、通話回線の種類に応じて操作対象を選択する必要もなく、判り易く電話通信装置を使用することができる。
【００５６】
たとえば、Ａと通話中に、Ｂから着信があった場合、キャッチボタン４１を短押しすると通話回線を切換え、長押しすると三者通話に移行するようにすることができる。三者通話中にキャッチボタン４１を短押しすると、Ｂを保留し、Ａと通話することもできる。これによって、使用者は直感的な操作で、通話回線の切換えや三者通話を行うことができ、電話通信装置１００としての使い勝手の向上につながる。
【００５７】
ただし、三者通話への移行は、図２に示すパーティコールボタン４３など、他の操作対象に対する操作で行わせることもできる。また、ハンドセット４を掛けるフックスイッチの操作でキャッチホンとしての第三者への割り込み応答や、三者通話への移行を、短押しと長押しとを区別して行わせることもできる。キャッチホン機能による第三者への応答可能な状態を解消して、元の通話に戻る機能のために、キャッチ終了ボタン４２を割当てることもできる。
【００５８】
特に、デジタル通話回線は、ＡＤＳＬ等のｘＤＳＬ技術で、アナログ通話回線の通信線に、高周波信号を重畳させて形成されるので、物理的に接続する通信線はアナログ通話回線の加入者線２２のみで、同時に複数のデジタル通話回線にも接続することができる。発呼時にデジタル通話回線を選択するかアナログ通話回線を選択するかは、相手側の電話番号に基づいて、予め設定される条件に従い、回線選択手段である使用回線判定部３５が決定するので、使用者は通話に使用中の通話回線の種類の違いに注意する必要はなく、従来のアナログ通話回線で局交換機が提供するキャッチホンのサービスと同様な感覚で、いずれの通話回線を使用しているときであっても、同様の操作で第三者からの着信に応答することができる。なお、通信回線はデジタルとアナログとを分け、デジタルにはＦＴＴＨ（Ｆｉｂｅｒ  Ｔｏ  Ｔｈｅ  Ｈｏｍｅ  ）やＣＡＴＶ（ＣＡｂｌｅ  ＴｅｌｅＶｉｓｉｏｎ）などブロードバンド化された通信線を使用し、アナログにＰＳＴＮの加入者線２２を使用することもできる。
【００５９】
図５は、図１に示す電話通信装置１００を親機とする子機２００の概略的な電気的構成を示す。子機２００は、アンテナ２０１、無線機２０２、スピーカ２０３、マイク２０４、イヤピーススピーカ２０５、通話回路２０６、メモリ２０７、表示部２０８、操作パネル２０９および制御部２２０を含む。制御部２２０は、子機制御部２２１、無線制御部２２２、データ処理制御部２２３、表示制御部２２４および操作検出部２２５を含む。なお、子機２００は、無線電波ばかりではなく、赤外線や可視光などの他の無線の手段で親機に接続するようにしてもよい。また、通信線や光ファイバなどを介して有線で親機に接続するようにしてもよい。
【００６０】
アンテナ２０１は、親機である電話通信装置１００からの電波を受信し、親機に対して電波を送信する。子機２００のアンテナ２０１は内蔵アンテナであり、親機は外部のアンテナ２０を使用する。無線機２０２は、親機が送信した電波を受信し、無線コマンドは無線制御部２０２へ、音声信号は通話回路２０６に送ったり、また、無線制御部３０２から送られてきた無線コマンドや、通話回路２０６から送られてきた音声信号を親機に送ったりすることができる。スピーカ２０３は、着信音やキータッチ音を鳴らすために、子機２００に内蔵されている。マイク２０４は、本子機２００で通話するための送話器として使用する。イヤピーススピーカ２０５は、本子機２００で通話するための受話器として使用する。
【００６１】
通話回路２０６は、子機制御部２２１からの信号に応じて、スピーカ２０３で着信音を鳴らしたり、無線機２０２からの音声信号をイヤピーススピーカ２０５に出力したり、マイク２０４に入力された音声を無線機２０２に送ったりすることができる。メモリ２０７には、発信記録や着信記録のデータやその使用された回線が何かを示す情報を記憶する。表示部２０８は、ＬＣＤなどで構成される。操作パネル２０９には、本子機２００を操作するための各種スイッチ等が設けられる。
【００６２】
制御部２２０は、本子機２００の動作を制御する。制御部２２０は、親機と無線接続を行い、電話をかけたり、受けたり、ダイヤルしたりして、本子機２００の動作を制御する子機制御部２２１と、子機制御部２２１からの信号に応じて、無線機２０２の動作を制御し、また無線コマンドのやり取りを行う無線制御部２２２と、メモリ２０７に発信者電話番号等のデータを書き込んだり、読み込んだりするデータ処理制御部２０３と、表示部２０８に各種の情報を表示する表示制御部２２４と、操作パネル２０９を監視し、子機制御部２２１に信号を与える操作検出部２０５とを含む。
【００６３】
図６は、図５に示す子機２００の外観構成の一例を示す。子機２００の操作パネル２０９にも、ダイヤルボタン２４０、キャッチボタン２４１、キャッチ終了ボタン２４２、パーティコールボタン２４３およびマルチファンクションキー２４５などが設けられ、親機としての電話通信装置１００で同一名称の部分と同等の機能で操作を行うことができる。したがって、子機２００から電話通信装置１００を介してＰＳＴＮ通話やＶｏＩＰ通話を親機と同様に行うことができる。なお、子機１００は、１つの親機に対して複数台用いることができる。ＡＤＳＬ回線２４で使用可能なデジタル通話回線と同数の子機１００を用いれば、ＰＳＴＮ回線２３も含めて、親機と各子機１００とで、独立した通話を並行して行うことができる。
【００６４】
また親機としての電話通信装置１００は複数の通話回線に接続可能であり、子機２００は、親機に接続され、親機を介して通話回線に接続される。親機の電話制御部３１は、親機の通話中であるか子機２００の通話中であるかを判断し、通話中であると判断する方の機器に、着信表示音を報知し、その機器に対し、使用者によって予め定める切換操作が行われるか否かを検出することもできる。これによって、通話を行っている使用者に適切に着信を報知し、着信表示音の報知に続く適切な応答を行わせることができる。
【００６５】
さらに、親機あるいは子機で通話中に着信があった場合、通話中の機器に報知するだけでなく、空いている機器にも呼び出し音を送出することもできる。これにより、使用者は両方の機器で通話中の着信を受けることができ、使い勝手の向上につながる。
【００６６】
【発明の効果】
以上のように本発明によれば、使用者が１つの通話回線で通話中に、他の通話回線への着信を検出すると、予め定める着信表示音を発生させて使用者に報知するので、通話中の使用者は第三者からの着信を知ることができ、従来からのキャッチホンと同様な機能を実現することができる。予め定めるリングバックトーンを他の通話回線に送出して応答するので、他の通話回線の発信者は、使用者を呼出し中であることが判る。使用者による切換操作が検出されるとき、通話中の通話回線を保留状態として、着信があった通話回線と通話可能な状態に切換えるので、使用者は、適切に応答することができる。
【００６７】
また本発明によれば、複数の通話回線に接続される電話通信装置側で第三者からの着信を報知するような機能を備えるので、使用者はデジタル通話回線またはアナログ通話回線のうちの一方の通話回線での二者間の通話中に、他の通話回線での第三者からの着信の報知を受けて、適切に応答することができる。
【００６８】
また本発明によれば、物理的に接続する通信線はアナログ通話回線の通信線のみで、同時にデジタル通話回線にも接続することができ、発呼時にデジタル通話回線を選択するかアナログ通話回線を選択するかは、相手側の電話番号に基づき、予め設定される条件に従って決定されるので、使用者は通話に使用中の通話回線の種類の違いに注意する必要はない。通話中に第三者からの着信があっても、従来からのアナログ通話回線で局交換機が提供するキャッチホンのサービスと同様な感覚で、使用する通話回線を意識することなく、同様の操作で第三者からの着信に応答することができる。
【００６９】
また本発明によれば、デジタル通話回線による電話通信サービスを提供するサーバに、第三者からの着信を報知して応答させる機能が設けられていなくても、電話装置として適切に応答することができる。
【００７０】
また本発明によれば、親機と子機とのうちのいずれかの機器で通話中に、通話中の通話回線とは異なる通話回線に第三者からの着信があると、通話中の機器に着信表示音を報知するので、適切な着信の報知を行うことができる。その機器に対して使用者が予め定める切換操作を行えば、第三者からの着信に応答することができる。
【００７１】
また本発明によれば、親機あるいは子機で通話中に着信があった場合、通話中の機器に報知するだけでなく、空いている機器にも呼び出し音を送出するので、使用者は両方の機器で通話中の着信を受けることができ、使い勝手の向上につながる。
【００７２】
また本発明によれば、他の通話回線への着信に応答するための切換操作と、三者通話に移行するための移行操作とを、使用者は使い分けて、機能を選択することができる。
【００７３】
また本発明によれば、通話中の着信に応答するための切換操作と、三者通話に移行するための移行操作とを、同一の操作対象に対する異なる態様の操作で行うことができるので、たとえば、キャッチボタンなどの操作対象を短押しすると通話回線を切換え、長押しすると三者通話に移行するようにすることができる。使用者は直感的な操作で、通話回線の切換えや三者通話を行うことができるので、電話通信装置としての使い勝手の向上につながる。
【図面の簡単な説明】
【図１】本発明の実施の一形態である電話通信装置１００の概略的な電気的構成を示すブロック図である。
【図２】図１に示す電話通信装置１００の操作パネル１４の外観構成を示す正面図である。
【図３】図１に示す電話通信装置１００でＰＳＴＮ通話中に着信があるときの制御手順を示すフローチャートである。
【図４】図１に示す電話通信装置１００でＶｏＩＰ通話中に着信があるときの制御手順を示すフローチャートである。
【図５】図１の電話通信装置１００の子機２００の概略的な電気的構成を示すブロック図である。
【図６】図５の子機２００の操作パネル２０９の外観構成を示す正面図である。
【符号の説明】
３  切換回路
７  着信検出回路
９  メモリ
１０，２０８  表示部
１１  ＶｏＩＰ使用可能ＬＥＤ
１４，２０９  操作パネル
１６  ＡＤＳＬモデム
１７  スプリッタ
２０，２０１    アンテナ
２１，２０２  無線機
３０，２２０  制御部
３１  電話制御部
３４，２２５  操作検出部
３５  使用回線判定部
３６  ＶｏＩＰ制御部
３７  ＡＤＳＬ  制御部
３９，２２２  無線制御部
４１，２４１  キャッチボタン
１００  電話通信装置
２００  子機
【図１】
2004187082.tif 000003
【図２】
2004187082.tif 000004
【図３】
2004187082.tif 000005
【図４】
2004187082.tif 000006
【図５】
2004187082.tif 000007
【図６】
2004187082.tif 000008